(57)【要約】【課題】携行用収納体のハンドル装置を構成するハンドル本体を、不使用時は伏倒位置に安定的に位置づけると共に使用を止めたと同時にゆっくりとこの伏倒位置に回動復帰させるようにする。【解決手段】一対のアーム部１０、１０間に亘って把持部１１を有しこのアーム部１０を携行用収納体Ｂの外面部Ｂａに回動可能に組み合わせて携行用収納体Ｂに起伏可能に備えられるハンドル本体１と、このハンドル本体１をその把持部１１を携行用収納体Ｂの外面部Ｂａに接しさせる伏倒位置に付勢により位置づけさせる付勢手段２と、前記付勢に抗して把持起立されたハンドル本体１のこの把持を解いたときの前記付勢によるハンドル本体１の伏倒位置に向けた回動に制動力を作用させる制動手段３とを備えている。【選択図】図２
2008178451.tif 000002
【特許請求の範囲】
【請求項１】
一対のアーム部間に亘って把持部を有しこのアーム部を携行用収納体の外面部に回動可能に組み合わせて携行用収納体に起伏可能に備えられるハンドル本体と、
このハンドル本体をその把持部を携行用収納体の外面部に接しさせる伏倒位置に付勢により位置づけさせる付勢手段と、
前記付勢に抗して把持起立されたハンドル本体のこの把持を解いたときの前記付勢によるハンドル本体の伏倒位置に向けた回動に制動力を作用させる制動手段とを備えていることを特徴とする携行用収納体用ハンドル装置。
【請求項２】
制動手段は、ハンドル本体の回動軸線を中心に回転可能とされる回転体と、この回転体の軸受け体とを備えると共に、この回転体の回転又は相対的な回転に粘性流体の抵抗を付与するダンパー装置であることを特徴とする請求項１記載の携行用収納体用ハンドル装置。
【請求項３】
ハンドル本体の一対のアーム部の双方又はいずれか一方が、ダンパー装置の回転体及び軸受け体のいずれか一方をこのアーム部側に組み付け、かつ、これらの他方を携行用収納体側に組み付けることにより、携行用収納体に回動可能に組み合わされていることを特徴とする請求項２記載の携行用収納体用ハンドル装置。
【請求項４】
ハンドル本体の一対のアーム部の一方が、ダンパー装置の回転体及び軸受け体のいずれか一方をこのアーム部側に組み付け、かつ、これらの他方を携行用収納体側に組み付けることにより、携行用収納体に回動可能に組み合わされていると共に、
付勢手段を、ハンドル本体の一対のアーム部の他方の軸部に巻回されるねじりコイルバネによって構成させていることを特徴とする請求項２記載の携行用収納体用ハンドル装置。
【請求項５】
携行用収納体の外面部に固定される取り付けベースを介してハンドル本体が携行用収納体に備え付けられるようになっていると共に、
この取り付けベースが、ハンドル本体のアーム部が回動可能に組み合わされる端部パーツと、カバーパーツとから構成されており、このカバーパーツと端部パーツとがこれらの一方に設けた掛合爪をこれらの他方に設けた被掛合部にこれらの組み合わせに際して弾発掛合させることで組み合わされていることを特徴とする請求項１〜請求項４のいずれか１項に記載の携行用収納体用ハンドル装置。
【発明の詳細な説明】
【技術分野】
【０００１】
この発明は、スーツケースなどの携行用収納体の外面部に取り付けられて、この携行用収納体の持ち運びなどの用に供されるハンドル装置の改良に関する。
【背景技術】
【０００２】
スーツケースなどの携行用収納体に備え付けられるハンドル（取っ手）は、一般に、把持部の両端に備えられたアーム部を携行用収納体の外面部に回動可能に組み合わせているにすぎない。このため、ハンドルの不使用時にはハンドルが遊び、邪魔になることも少なくなく、また、携行用収納体を車両などおいて運搬する際に異音を生じさせたりしていた。こうしたハンドルを付勢手段によって不使用時には伏倒位置に位置づけられるようにすればこうした不都合はなくなるが、単純にそうした場合、ハンドルの把持を止めたと同時に付勢手段の付勢によりハンドルを伏倒位置に回動させてしまうことから、衝撃音を生じさせたり、ハンドル側あるいは携行用収納体の外面部に損傷を生じさせる、といった不都合が生じる。
【発明の開示】
【発明が解決しようとする課題】
【０００３】
この発明が解決しようとする主たる問題点は、この種の携行用収納体のハンドル装置を構成するハンドル本体を、不使用時は伏倒位置に安定的に位置づけると共に使用を止めたと同時にゆっくりとこの伏倒位置に回動復帰させるようにする点にある。
【課題を解決するための手段】
【０００４】
前記課題を達成するために、この発明にあっては、携行用収納体用ハンドル装置を、一対のアーム部間に亘って把持部を有しこのアーム部を携行用収納体の外面部に回動可能に組み合わせて携行用収納体に起伏可能に備えられるハンドル本体と、
このハンドル本体をその把持部を携行用収納体の外面部に接しさせる伏倒位置に付勢により位置づけさせる付勢手段と、
前記付勢に抗して把持起立されたハンドル本体のこの把持を解いたときの前記付勢によるハンドル本体の伏倒位置に向けた回動に制動力を作用させる制動手段とを備えたものとした。
【０００５】
ハンドル本体は、付勢手段の付勢により、それを把持起立させない限り、携行用収納体の外面部に把持部を接しさせる伏倒位置に位置づけられることから、このハンドル本体を使用しないときはハンドル本体は遊ぶことがなく、邪魔になったりすることもない。また、ハンドル本体を把持起立させた後、この把持を解くと付勢手段によってハンドル本体を強制的に伏倒位置に回動させることができると共に、この回動が制動手段によってゆっくりとなされるようにすることができる。
【０００６】
前記制動手段を、ハンドル本体の回動軸線を中心に回転可能とされる回転体と、この回転体の軸受け体とを備えると共に、この回転体の回転又は相対的な回転に粘性流体の抵抗を付与するダンパー装置としておけば、ダンパー装置とハンドル本体とを合理的に配置してこのハンドル本体の回動に制動を付与させることができる。
【０００７】
ハンドル装置におけるハンドル本体の一対のアーム部の双方又はいずれか一方が、ダンパー装置の回転体及び軸受け体のいずれか一方をこのアーム部側に組み付け、かつ、これらの他方を携行用収納体側に組み付けることにより、携行用収納体に回動可能に組み合わされるようにすれば、ハンドル本体を構成する一対のアーム部の双方又はいずれか一方をダンパー装置を介して携行用収納体に回動可能に組み合わせることができる。
【０００８】
この場合、さらに、ハンドル本体の一対のアーム部の一方が、ダンパー装置の回転体及び軸受け体のいずれか一方をこのアーム部側に組み付け、かつ、これらの他方を携行用収納体側に組み付けることにより、携行用収納体に回動可能に組み合わされていると共に、
付勢手段を、ハンドル本体の一対のアーム部の他方の軸部に巻回されるねじりコイルバネによって構成させるようにしておけば、部品点数を過大にすることなく不使用時は伏倒位置に安定的に位置づけられ使用を止めたと同時にゆっくりとこの伏倒位置に回動復帰するハンドル本体を備えたハンドル装置を適切に構成させることができる。
【０００９】
携行用収納体の外面部に固定される取り付けベースを介してハンドル本体が携行用収納体に備え付けられるようにしておくと共に、
この取り付けベースを、ハンドル本体のアーム部が回動可能に組み合わされる端部パーツと、カバーパーツとから構成させ、
このカバーパーツと端部パーツとをこれらの一方に設けた掛合爪をこれらの他方に設けた被掛合部にこれらの組み合わせに際して弾発掛合させることで組み合わせるようにしておくこともある。
【発明の効果】
【００１０】
この発明にかかる携行用収納体用ハンドル装置にあっては、これを構成するハンドル本体を、不使用時は伏倒位置に安定的に位置づけると共に使用を止めたと同時にゆっくりとこの伏倒位置に回動復帰させることができる。
【発明を実施するための最良の形態】
【００１１】
以下、図１〜図６に基づいて、この発明を実施するための最良の形態について説明する。
【００１２】
なお、ここで図１は、かかるハンドル装置Ｈを含んで構成された携行用収納体Ｂの一例を、また、図２は、かかるハンドル装置Ｈの要部をこのハンドル装置Ｈを構成するハンドル本体１の回動軸線ｘに沿った向きで断面にして、また、図３は図２の一部をさらに拡大して、さらに、図４は、図３の部分を構成する各部材を分離させた状態として、それぞれ示している。また、図５および図６は、ハンドル装置Ｈの他の構成例を示しており、両図においては特にダンパー装置３’には一様なハッチングを付してその内部構成を省略して示している。
【００１３】
この実施の形態にかかるハンドル装置Ｈは、携行用収納体Ｂの外面部Ｂａに取り付けられて、この携行用収納体Ｂの持ち運びなどの用に供されるものである。
【００１４】
かかる携行用収納体Ｂとしては、少なくともハンドル装置Ｈの備え付けられる箇所を金属や硬質の樹脂によって構成させたものを予定している。典型的には、かかる携行用収納体Ｂとしては、ハードシェルタイプの鞄、例えば、アタッシュケース、スーツケース、トランクなどを予定している。
【００１５】
かかるハンドル装置Ｈは、
（１）ハンドル本体１
（２）付勢手段２
（３）制動手段３
を備えている。
【００１６】
ハンドル本体１は、一対のアーム部１０、１０間に亘る把持部１１を有している。基本的に把持部１１は握ることが可能な棒状に構成される。アーム部１０はこのように構成される把持部１１の一端部と他端部とにおいてそれぞれ、この把持部１１との間にコーナーを作るようにして、この把持部１１の側方に向けて突き出すように構成される。一対のアーム部１０、１０は把持部１１より同じ向きに突き出される。そして、このハンドル本体１は、かかるアーム部１０を携行用収納体Ｂの外面部Ｂａに回動可能に組み合わせてこの携行用収納体Ｂに起伏可能に備えられる。ハンドル本体１は、一対のアーム部１０、１０の先端側をそれぞれ携行用収納体Ｂ側に回動可能に組み付けさせて、一つの回動軸線ｘを中心に、把持部１１を携行用収納体Ｂの外面部Ｂａに接しさせる伏倒位置（図１の位置）からの回動起立可能に携行用収納体Ｂに備え付けられる。
【００１７】
図示の例では、携行用収納体Ｂの外面部Ｂａに固定される取り付けベース４を介して、ハンドル本体１は携行用収納体Ｂに備え付けられるようになっている。取り付けベース４は一対の把持部１１間に亘る長さを備えると共に、一面側を意匠面４０とし、他面側を携行用収納体Ｂへの取り付け面４１とし、さらに両端にそれぞれハンドル本体１のアーム部１０の受け部４２を備えている。図示の例では、一対のアーム部１０、１０の一方は取り付けベース４の一方の受け部４２に組み込まれた後述するダンパー装置３’を介して取り付けベース４に回動可能に組み合わされ、また、一対のアーム部１０、１０の他方は他方のアーム部１０の側に向けて突き出す軸部１０ａを取り付けベース４の他方の受け部４２に回転可能に入れ込むことで取り付けベース４に回動可能に組み合わされている。
【００１８】
より具体的には、取り付けベース４は、前記受け部４２を備えた端部パーツ４３と、一対の端部パーツ４３、４３をそれぞれ納めてこの一対の端部パーツ４３間に亘るカバーパーツ４４とから構成されている。携行用収納体Ｂには端部パーツ４３がネジ止めされて取り付けられるようになっている。カバーパーツ４４の端部には携行用収納体Bへの取り付け側において開放された端部パーツ４３の入れ込み部４４ａが形成されており、端部パーツ４３とカバーパーツ４４とはこの入れ込み部４４ａに端部パーツ４３を入れ込んで組み合わされる。
【００１９】
図５および図６に示される例では、カバーパーツ４４の端部と端部パーツ４３の一部とを、端部パーツ４３のハンドル装置Ｈの回動軸線ｘに沿った向きにある両側部にそれぞれ形成させた掛合爪４３ａをカバーパーツ４４の端部に設けた窓穴状をなす被掛合部４４ｂに、カバーパーツ４４の入れ込み部４４ａへの端部パーツ４３の入れ込みに際して弾発掛合させることで、ワンタッチで組み合わせている。
【００２０】
かかるハンドル本体１は、例えば、アタッシュケースに備え付ける場合には、図１に示されるように、このアタッシュケースのヒンジ側と反対の側におけるフレームの側部の中央に備えられて、このアタッシュケースのハンドルとして利用されるものとなる。また、かかるハンドル本体１は、キャスター付きのスーツケースに備え付ける場合には、ボディの天部やボディの厚さ方向にある側部に備えられ、このスーツケースのトップハンドルやメインハンドルとして利用されるものとなる。
【００２１】
付勢手段２は、前記ハンドル本体１をその把持部１１を携行用収納体Ｂの外面部Ｂａに接しさせる伏倒位置に付勢により位置づけさせるものである。
【００２２】
図示の例では、かかる付勢手段２を、前記一対のアーム部１０、１０の他方に備えられる軸部１０ａに巻回されたねじりコイルバネ２０によって構成させている。図示の例では、かかるバネ２０は取り付けベース４の他方の受け部４２内に納まり、この受け部４２の内壁にバネ一端２０ａを固定され、かつ、軸部１０ａにバネ他端２０ｂを固定させている。そして、かかるバネ２０は、ハンドル本体１を伏倒位置から回動起立させるとバネ巻回部２０ｃが弾性変形され、このハンドル本体１を伏倒位置に向けて回し戻す向きの付勢力をこのハンドル本体１に作用させるように構成されている。
【００２３】
制動手段３は、前記付勢手段２の付勢に抗して把持起立されたハンドル本体１のこの把持を解いたときのこの付勢によるハンドル本体１の伏倒位置に向けた回動に制動力を作用させるものである。
【００２４】
この実施の形態では、かかる制動手段３を、ハンドル本体１の回動軸線ｘを中心に回転可能とされる回転体３０と、この回転体３０の軸受け体３１とを備えると共に、この回転体３０の回転又は相対的な回転に図示しない粘性流体の抵抗を付与するダンパー装置３’によって構成させている。
【００２５】
そして、ハンドル本体１の一対のアーム部１０、１０の一方が、このように構成されるダンパー装置３’の回転体３０及び軸受け体３１のいずれか一方をこのアーム部１０側に組み付け、かつ、これらの他方を携行用収納体Ｂ側に組み付けることにより、携行用収納体Ｂに回動可能に組み合わされている。図示の例では、ダンパー装置３’の回転体３０がアーム部１０側に組み付けられ、軸受け体３１が取り付けベース４、つまり、携行用収納体Ｂ側に組み付けられている。
【００２６】
図示の例では、かかるダンパー装置３’は、円筒状の内筒部３０ａと円筒状の外筒部３０ｂとを両者の間に周回隙間３０ｃを形成させた状態で両者の筒一端側で一体に連接させてなる回転体３０と、
円筒状の内筒部３１ａと円筒状の外筒部３１ｂとを両者の間に周回隙間３１ｃを形成させた状態で両者の筒一端側で一体に連接させてなる軸受け体３１とを、
軸受け体３１の周回隙間３１ｃに回転体３０の外筒部３０ｂが入り込み、軸受け体３１の内筒部３１ａの内側に回転体３０の内筒部３０ａを入り込むように組み合わせることで構成されている。
【００２７】
前記粘性流体としてはシリコンオイルやグリースなどが用いられ、軸受け体３１の周回隙間３１ｃに充填される。図中符号３２は、かかる粘性流体の漏れ出しを防ぐシールリングである。図示の例では、回転体３０と軸受け体３１とを前記のように組み合わせた後、回転体３０の内筒部３０ａにおける外筒部３０ｂとの連接側と反対の側の筒端部３０ｄを外向きにカシメて軸受け体３１の内筒部３１ａの外筒部３１ｂとの連接側の筒端部に引っ掛けさせることで、両者の組み合わせ状態を維持するようにしている。軸受け体３１に対して回転体３０が回転又は相対的に回転されると軸受け体３１の周回隙間３１ｃ内に充填された粘性流体が回転体３０の外筒部の移動の抵抗となりこれにより回転体３０の回転、つまり、ハンドル本体１の回動に制動が付与される。
【００２８】
図示の例では、ダンパー装置３’の軸受け体３１の外筒部３１ｂの外面にはハンドル本体１の回動軸線ｘに沿ったリブ３１ｄが形成されている。一方、取り付けベース４の受け部４２の一方は、取り付けベース４の一端部において開放されて前記回動軸線ｘに沿って続く凹所４２ａとして構成されていると共に、凹所入り口４２ｂから凹所奥４２ｃに向けて続く前記リブ３１ｄの入れ込み溝４２ｄを備えている。この例では、かかる受け部４２にこの入れ込み溝４２ｄにリブ３１ｄを入れ込ませるようにして軸受け体３１の連接側を先にしてダンパー装置３’をはめ込むことで、この受け部４２にダンパー装置３’が納められるようになっており、これによりダンパー装置３’の軸受け体３１が取り付けベース４に固定されるようになっている。
【００２９】
一方、ハンドル本体１の一対のアーム部１０、１０の一方には、その回動軸線ｘに沿った貫通孔１０ｂが形成されていると共に、このアーム部１０の一方における他方のアーム部１０の側に向けられた側には、この貫通孔１０ｂを挟んだ両側にそれぞれ接続用突部１０ｃが設けられている。また、ダンパー装置３’の回転体３０における外筒部３０ｂと内筒部３０ａとの連接側には、内筒部３０ａの筒口を挟んだ両側にそれぞれ接続用突部３０ｅが設けられている。そして、図示の例では、一方の筒口を閉塞させると共にその閉塞部１２ａに長穴１２ｂを備えた筒状をなしダンパー装置３’を内側に納めるようにしてダンパー装置３’と一緒に受け部４２に納められるカップリング体１２のこの長穴１２ｂに、外側からアーム部１０の接続用突部１０ｃを入れ込み、かつ、内側から回転体３０の接続用突部３０ｅを入れ込ませた後、シャフト１３を連通し合うアーム部１０の貫通孔１０ｂとカップリング体１２の長穴１２ｂとダンパー装置３’の回転体３０の内筒部３０ａの内部に通し、受け部４２の凹所奥４２ｃの軸受け凹所４２ｅに入れ込ませることで、この一対のアーム部１０、１０の一方を取り付けベース４、つまり、携行用収納体Ｂに回動可能に組み付けさせると共に、この一対のアーム部１０、１０の一方とダンパー装置３’の回転体３０とを一体化させている。
【００３０】
ハンドル本体１は、付勢手段２の付勢により、それを把持起立させない限り、携行用収納体Ｂの外面部Ｂａに把持部１１を接しさせる伏倒位置に位置づけられることから、このハンドル本体１を使用しないときはハンドル本体１は遊ぶことがなく、邪魔になったりすることもない。また、ハンドル本体１を把持起立させた後、この把持を解くと付勢手段２によってハンドル本体１を強制的に伏倒位置に回動させることができると共に、この回動が制動手段３によってゆっくりとなされるようにすることができる。
【００３１】
制動手段３であるダンパー装置３’の回転体３０は、ハンドル本体１の回動軸線ｘを中心に回転可能とされることから、ダンパー装置３’とハンドル本体１とを合理的に配置してこのハンドル本体１の回動に制動を付与させることができる。
【００３２】
また、この実施の形態にあっては、ハンドル本体１を構成する一対のアーム部１０、１０の一方をダンパー装置３’を介して携行用収納体Ｂに回動可能に組み合わせており、また、一対のアーム部１０、１０の他方において付勢手段２としてのねじりコイルバネ２０によりこのハンドル本体１を伏倒位置に向けて付勢しており、部品点数を過大にすることなく不使用時は伏倒位置に安定的に位置づけられ使用を止めたと同時にゆっくりとこの伏倒位置に回動復帰するハンドル本体１を備えたハンドル装置Ｈを適切に構成させることができる。
【図面の簡単な説明】
【００３３】
【図１】携行用収納体Ｂの要部斜視図
【図２】ハンドル装置Ｈの断面構成図
【図３】同要部断面構成図
【図４】同要部分解斜視構成図
【図５】ハンドル装置Hの他の構成例を示した要部断面構成図
【図６】同要部断面構成図（図５と異なる向きでの断面）
【符号の説明】
【００３４】
Ｈ  ハンドル装置
Ｂ  携行用収納体
Ｂａ  外面部
１  ハンドル本体
１０  アーム部
１１  把持部
２  付勢手段
３  制動手段
【図１】
2008178451.tif 000003
【図２】
2008178451.tif 000004
【図３】
2008178451.tif 000005
【図４】
2008178451.tif 000006
【図５】
2008178451.tif 000007
【図６】
2008178451.tif 000008